(57)【要約】【課題】従来型のスラッジブランケット型凝集沈澱装置と比較して、原水の水質が変動しても安定運転が可能となり、運転管理が大幅に簡易化される、スラッジブランケット型凝集沈澱装置およびその運転方法を提供する。【解決手段】上端が水面下に位置する仕切り板１８により、フロックの凝集および沈澱用の凝集沈澱室１４とフロックの貯留、濃縮および排出用の濃縮室１６とに仕切ってなる槽１０と、槽内の原水に脈動を与える脈動発生装置１２と、を備え、原水の濁度および水温に応じて、脈動の強度、および槽１０の前段に急速撹拌槽５０が設けられている場合の急速撹拌槽５０における撹拌の強度のうち少なくとも１つを制御する、スラッジブランケット型の凝集沈澱装置１である。【選択図】図１
2018069209.tif 000002
【特許請求の範囲】
【請求項１】
上端が水面下に位置する仕切り板により、フロックの凝集および沈澱用の凝集沈澱室とフロックの貯留、濃縮および排出用の濃縮室とに仕切ってなる槽と、
槽内の原水に脈動を与える脈動発生手段と、
を備え、
前記原水の濁度および水温に応じて、前記脈動の強度、および前記槽の前段に撹拌槽が設けられている場合の前記撹拌槽における撹拌の強度のうち少なくとも１つを制御することを特徴とするスラッジブランケット型凝集沈澱装置。
【請求項２】
請求項１に記載のスラッジブランケット型凝集沈澱装置であって、
前記原水の水温と処理水の水温との差が０．１℃以上となった場合に、前記脈動の強度、および前記撹拌の強度のうち少なくとも１つを高くすることを特徴とするスラッジブランケット型凝集沈澱装置。
【請求項３】
請求項１に記載のスラッジブランケット型凝集沈澱装置であって、
前記原水の濁度の上昇率が１０度／時間以上となった場合に、前記脈動の強度、および前記撹拌の強度のうち少なくとも１つを高くすることを特徴とするスラッジブランケット型凝集沈澱装置。
【請求項４】
請求項１〜３のいずれか１項に記載のスラッジブランケット型凝集沈澱装置であって、
前記脈動発生手段は、前記凝集沈澱室に設けられた少なくとも１つの流出口を有する原水分配管と下方で接続され、前記原水を貯留する塔を有し、前記塔内の原水の落水および水位上昇を繰り返すことにより、前記流出口から前記原水が流出される際の脈動により前記凝集沈澱室内の原水を撹拌するものであり、
前記脈動の強度を下記式で表される脈動Ｇ値により制御することを特徴とするスラッジブランケット型凝集沈澱装置。
脈動Ｇ値＝（落水Ｇ値×落水時間＋上昇Ｇ値×上昇時間）÷（落水時間＋上昇時間）
Ｇ＝√｛（Ａ・ｖ３）／（２ν・Ｖ）｝
Ａ：噴出面積（ｍ２）
ｖ：噴出流速（ｍ／ｓ）
ν：動粘性係数（ｍ２／ｓ）
Ｖ：混和部容量（ｍ３）
【請求項５】
請求項１〜３のいずれか１項に記載のスラッジブランケット型凝集沈澱装置であって、
前記撹拌槽は、撹拌翼を有し、
前記撹拌の強度を下記式で表される撹拌Ｇ値により制御することを特徴とするスラッジブランケット型凝集沈澱装置。
撹拌Ｇ値＝√｛（ＣΣｉ（Ａｉ・ｖｉ３））／２νＶ｝
Ａｉ：撹拌翼ｉの運動方向に直角な面積（ｍ２）
ｖｉ：撹拌翼ｉの平均速度（ｍ／ｓ）
ν：動粘性係数（ｍ２／ｓ）
Ｖ：混和部容量（ｍ３）
Ｃ：撹拌翼の抵抗係数（−）
【請求項６】
上端が水面下に位置する仕切り板により、槽をフロックの凝集および沈澱用の凝集沈澱室とフロックの貯留、濃縮および排出用の濃縮室とに仕切ってなり、槽内の原水に脈動を与えるスラッジブランケット型凝集沈澱装置の運転方法であって、
前記原水の濁度および水温に応じて、前記脈動の強度、および前記槽の前段に撹拌槽が設けられている場合の前記撹拌槽における撹拌の強度のうち少なくとも１つを制御することを特徴とするスラッジブランケット型凝集沈澱装置の運転方法。
【請求項７】
請求項６に記載のスラッジブランケット型凝集沈澱装置の運転方法であって、
前記原水の水温と処理水の水温との差が０．１℃以上となった場合に、前記脈動の強度、および前記撹拌の強度のうち少なくとも１つを高くすることを特徴とするスラッジブランケット型凝集沈澱装置の運転方法。
【請求項８】
請求項６に記載のスラッジブランケット型凝集沈澱装置の運転方法であって、
前記原水の濁度の上昇率が１０度／時間以上となった場合に、前記脈動の強度、および前記撹拌の強度のうち少なくとも１つを高くすることを特徴とするスラッジブランケット型凝集沈澱装置の運転方法。
【請求項９】
請求項６〜８のいずれか１項に記載のスラッジブランケット型凝集沈澱装置の運転方法であって、
前記凝集沈澱室に設けられた少なくとも１つの流出口を有する原水分配管と下方で接続され、前記原水を貯留する塔内の原水の落水および水位上昇を繰り返すことにより、前記流出口から前記原水が流出される際の脈動により前記凝集沈澱室内の原水を撹拌し、
前記脈動の強度を下記式で表される脈動Ｇ値により制御することを特徴とするスラッジブランケット型凝集沈澱装置の運転方法。
脈動Ｇ値＝（落水Ｇ値×落水時間＋上昇Ｇ値×上昇時間）÷（落水時間＋上昇時間）
Ｇ＝√｛（Ａ・ｖ３）／（２ν・Ｖ）｝
Ａ：噴出面積（ｍ２）
ｖ：噴出流速（ｍ／ｓ）
ν：動粘性係数（ｍ２／ｓ）
Ｖ：混和部容量（ｍ３）
【請求項１０】
請求項６〜８のいずれか１項に記載のスラッジブランケット型凝集沈澱装置の運転方法であって、
前記撹拌槽は、撹拌翼を有し、
前記撹拌の強度を下記式で表される撹拌Ｇ値により制御することを特徴とするスラッジブランケット型凝集沈澱装置の運転方法。
撹拌Ｇ値＝√｛（ＣΣｉ（Ａｉ・ｖｉ３））／２νＶ｝
Ａｉ：撹拌翼ｉの運動方向に直角な面積（ｍ２）
ｖｉ：撹拌翼ｉの平均速度（ｍ／ｓ）
ν：動粘性係数（ｍ２／ｓ）
Ｖ：混和部容量（ｍ３）
Ｃ：撹拌翼の抵抗係数（−）
【発明の詳細な説明】
【技術分野】
【０００１】
本発明は、上水、用水、各種排水等の処理に用いられるスラッジブランケット型凝集沈澱装置およびスラッジブランケット型凝集沈澱装置の運転方法に関する。
【背景技術】
【０００２】
河川水、湖沼水等の原水より懸濁物質を除去する場合、原水に凝集剤を添加し、懸濁物質を凝集させてフロックを形成し、このフロックを沈降分離により水中から除去して処理水（除濁水）を得ることは、凝集沈澱法としてよく知られた方法であり、この方法を実施するための凝集沈澱装置は多種多様のものが実用化されている。
【０００３】
このような凝集沈澱装置のうち、フロック形成過程と沈降分離過程を同一の槽に組み込んだ高速凝集沈澱装置は、その設置面積の有利性により広く用いられている。その高速凝集沈澱装置の一種としてスラッジブランケット型凝集沈澱装置がある。スラッジブランケット型凝集沈澱装置は、例えば、凝集剤を添加した原水を真空塔に流入させ、真空ポンプ等により真空塔内を真空、脱真空と繰り返すことにより、真空塔内の水位を上下させて原水に脈動を与える。次いで脈動を与えた原水を原水分配管より、上端が水面下に位置する仕切り板によってフロックの凝集および沈澱用の凝集沈澱室とフロックの貯留、濃縮および排出用の濃縮室とに仕切ってなる槽内に流入し、原水中の懸濁物質を脈動あるいは阻流板への衝突により凝集させ、フロックを形成させながら上昇させ、スラッジブランケット層を通過させて凝集液中のフロックを接触捕捉して、懸濁物質を除去した処理水を、トラフを介して得るものである。フロック形成を促進する目的で、真空塔の手前に急速撹拌槽を設置する場合もある。
【０００４】
スラッジブランケット型の凝集沈澱装置で通水を行う場合、原水の濁度や水温の変動が起きた際に、スラッジブランケット層から微細フロックが流出し、処理水質が悪化しやすくなり、安定運転が困難となることがある。処理水質の悪化が激しい場合は、通水流量を下げたり、凝集条件を見直すなどの作業が必要となり、運転管理が煩雑となることもある。このため水道施設設計指針では、原水の変動幅として、濁度であれば１時間に１００度以下、水温であれば１時間に０．５〜１．０℃以下とすることが望ましいとされている。しかし、実際の水処理場においては、原水と処理水の水温差が０．１度以上、もしくは原水濁度の上昇率が１０度／時間以上となった際に、処理水質が悪化するケースも見られる。これらの問題に対処するために、例えば特許文献１に記載のような凝集沈澱装置も考案されている。
【０００５】
しかし、特許文献１の装置では、スラッジブランケット層の界面を所定の高さで保持することが極めて困難であり、安定運転するためには界面検出器の設置が必須となる。また、汚泥を沈澱槽全体に循環させるために、規模の大きい撹拌装置も必須となり、イニシャルコストおよびランニングコストともに増大するという問題がある。
【先行技術文献】
【特許文献】
【０００６】
【特許文献１】特公平４−６６６０１号公報
【発明の概要】
【発明が解決しようとする課題】
【０００７】
本発明の目的は、従来型のスラッジブランケット型凝集沈澱装置と比較して、原水の水質が変動しても安定運転が可能となり、運転管理が大幅に簡易化される、スラッジブランケット型凝集沈澱装置およびその運転方法を提供することにある。
【課題を解決するための手段】
【０００８】
本発明は、上端が水面下に位置する仕切り板により、フロックの凝集および沈澱用の凝集沈澱室とフロックの貯留、濃縮および排出用の濃縮室とに仕切ってなる槽と、槽内の原水に脈動を与える脈動発生手段と、を備え、前記原水の濁度および水温に応じて、前記脈動の強度、および前記槽の前段に撹拌槽が設けられている場合の前記撹拌槽における撹拌の強度のうち少なくとも１つを制御する、スラッジブランケット型凝集沈澱装置である。
【０００９】
前記スラッジブランケット型凝集沈澱装置において、前記原水の水温と処理水の水温との差が０．１℃以上となった場合に、前記脈動の強度、および前記撹拌の強度のうち少なくとも１つを高くすることが好ましい。
【００１０】
前記スラッジブランケット型凝集沈澱装置において、前記原水の濁度の上昇率が１０度／時間以上となった場合に、前記脈動の強度、および前記撹拌の強度のうち少なくとも１つを高くすることが好ましい。
【００１１】
前記スラッジブランケット型凝集沈澱装置において、前記脈動発生手段は、前記凝集沈澱室に設けられた少なくとも１つの流出口を有する原水分配管と下方で接続され、前記原水を貯留する塔を有し、前記塔内の原水の落水および水位上昇を繰り返すことにより、前記流出口から前記原水が流出される際の脈動により前記凝集沈澱室内の原水を撹拌するものであり、前記脈動の強度を下記式で表される脈動Ｇ値により制御することが好ましい。
脈動Ｇ値＝（落水Ｇ値×落水時間＋上昇Ｇ値×上昇時間）÷（落水時間＋上昇時間）
Ｇ＝√｛（Ａ・ｖ３）／（２ν・Ｖ）｝
Ａ：噴出面積（ｍ２）
ｖ：噴出流速（ｍ／ｓ）
ν：動粘性係数（ｍ２／ｓ）
Ｖ：混和部容量（ｍ３）
【００１２】
前記スラッジブランケット型凝集沈澱装置において、前記撹拌槽は、撹拌翼を有し、前記撹拌の強度を下記式で表される撹拌Ｇ値により制御することが好ましい。
撹拌Ｇ値＝√｛（ＣΣｉ（Ａｉ・ｖｉ３））／２νＶ｝
Ａｉ：撹拌翼ｉの運動方向に直角な面積（ｍ２）
ｖｉ：撹拌翼ｉの平均速度（ｍ／ｓ）
ν：動粘性係数（ｍ２／ｓ）
Ｖ：混和部容量（ｍ３）
Ｃ：撹拌翼の抵抗係数（−）
【００１３】
また、本発明は、上端が水面下に位置する仕切り板により、槽をフロックの凝集および沈澱用の凝集沈澱室とフロックの貯留、濃縮および排出用の濃縮室とに仕切ってなり、槽内の原水に脈動を与えるスラッジブランケット型凝集沈澱装置の運転方法であって、前記原水の濁度および水温に応じて、前記脈動の強度、および前記槽の前段に撹拌槽が設けられている場合の前記撹拌槽における撹拌の強度のうち少なくとも１つを制御する、スラッジブランケット型凝集沈澱装置の運転方法である。
【００１４】
前記スラッジブランケット型凝集沈澱装置の運転方法において、前記原水の水温と処理水の水温との差が０．１℃以上となった場合に、前記脈動の強度、および前記撹拌の強度のうち少なくとも１つを高くすることが好ましい。
【００１５】
前記スラッジブランケット型凝集沈澱装置の運転方法において、前記原水の濁度の上昇率が１０度／時間以上となった場合に、前記脈動の強度、および前記撹拌の強度のうち少なくとも１つを高くすることが好ましい。
【００１６】
前記スラッジブランケット型凝集沈澱装置の運転方法において、前記凝集沈澱室に設けられた少なくとも１つの流出口を有する原水分配管と下方で接続され、前記原水を貯留する塔内の原水の落水および水位上昇を繰り返すことにより、前記流出口から前記原水が流出される際の脈動により前記凝集沈澱室内の原水を撹拌し、前記脈動の強度を下記式で表される脈動Ｇ値により制御することが好ましい。
脈動Ｇ値＝（落水Ｇ値×落水時間＋上昇Ｇ値×上昇時間）÷（落水時間＋上昇時間）
Ｇ＝√｛（Ａ・ｖ３）／（２ν・Ｖ）｝
Ａ：噴出面積（ｍ２）
ｖ：噴出流速（ｍ／ｓ）
ν：動粘性係数（ｍ２／ｓ）
Ｖ：混和部容量（ｍ３）
【００１７】
前記スラッジブランケット型凝集沈澱装置の運転方法において、前記撹拌槽は、撹拌翼を有し、前記撹拌の強度を下記式で表される撹拌Ｇ値により制御することが好ましい。
撹拌Ｇ値＝√｛（ＣΣｉ（Ａｉ・ｖｉ３））／２νＶ｝
Ａｉ：撹拌翼ｉの運動方向に直角な面積（ｍ２）
ｖｉ：撹拌翼ｉの平均速度（ｍ／ｓ）
ν：動粘性係数（ｍ２／ｓ）
Ｖ：混和部容量（ｍ３）
Ｃ：撹拌翼の抵抗係数（−）
【発明の効果】
【００１８】
本発明によれば、従来型のスラッジブランケット型凝集沈澱装置と比較して、原水の水質が変動しても安定運転が可能となり、運転管理が大幅に簡易化される。
【図面の簡単な説明】
【００１９】
【図１】本発明の実施形態に係るスラッジブランケット型凝集沈澱装置の一例を示す概略構成図である。
【図２】本発明の実施形態に係るスラッジブランケット型凝集沈澱装置の他の例を示す概略構成図である。
【図３】本発明の実施形態に係るスラッジブランケット型凝集沈澱装置の他の例を示す概略構成図である。
【図４】実施例および比較例で用いたパイロット実験装置の概略構成を示す図である。
【図５】実施例および比較例で用いた実験フローの概略を示す図である。
【図６】実施例および比較例における水温変動実験の結果を示すグラフである。
【図７】実施例および比較例における濁度変動実験の結果を示すグラフである。
【発明を実施するための形態】
【００２０】
本発明の実施の形態について以下説明する。本実施形態は本発明を実施する一例であって、本発明は本実施形態に限定されるものではない。
【００２１】
本発明の実施形態に係るスラッジブランケット型凝集沈澱装置の一例の概略を図１に示し、その構成について説明する。スラッジブランケット型の凝集沈澱装置１は、上端が水面下に位置する仕切り板１８により、フロックの凝集および沈澱用の凝集沈澱室１４とフロックの貯留、濃縮および排出用の濃縮室１６とに仕切ってなる槽１０と、槽１０内の原水に脈動を与える脈動発生手段として脈動発生装置１２とを備える。脈動発生装置１２は、真空塔として塔２０と、塔２０の頂部に真空発生手段として真空ポンプ４６と、脱真空手段としてバキュームブレーカ４８とを備える。凝集沈澱装置１の前段に、撹拌翼を有する急速撹拌槽５０を備えてもよい。
【００２２】
図１の凝集沈澱装置１において、急速撹拌槽５０の出口と、脈動発生装置１２の塔２０の入口とは、原水導入管２２により接続されている。槽１０の凝集沈澱室１４の底部の汚泥出口には、汚泥排出管２４が接続され、濃縮室１６の汚泥出口には、汚泥排出管２６が接続され、槽１０の上部の水面部には、少なくとも１つの処理水排出管２８が設けられている。塔２０には水位測定手段として水位計４４が設置されている。凝集沈澱室１４の中央下方部には少なくとも１つの原水分配管３０が横設され、原水分配管３０は塔２０の下部と給水ダクト３２により連通されている。原水分配管３０の下部には原水を流出するためのスリットまたは孔からなる少なくとも１つの流出口が下向きに１列以上設けられている。例えば、複数の流出口が原水分配管３０の真下方向に対して３０°程度の各斜め方向に、原水分配管３０の長軸方向に沿って２列設けられ、一方の列の流出口の間のピッチの略半分の位置に、他方の列の流出口が配置されるようになっている。原水分配管３０の上方はスラッジブランケット層３４が形成されるスラッジブランケットゾーン、阻流板４２の下方は撹拌ゾーン３６となっている。原水分配管３０の上方には、縦断面形状が例えばＶ字状である少なくとも１つの阻流板４２が設置されている。この位置に阻流板４２を設置することにより、槽内に流入された原水が撹拌され、フロックが形成されやすくなる効果がある。スラッジブランケット層３４の上方には、沈降面積を増加させるための傾斜装置４０が設置されてもよい。
【００２３】
仕切り板１８によって仕切られた凝集沈澱室１４は、フロックの凝集および沈澱を行うものであり、濃縮室１６は、スラッジブランケット層３４より仕切り板１８を越流してきたフロックを貯留、濃縮するものである。
【００２４】
脈動発生装置１２は、凝集沈澱室１４に設けられた少なくとも１つの流出口を有する原水分配管３０と下方で接続され、原水を貯留する塔２０を有し、塔２０内の原水の落水および水位上昇を繰り返すことにより、流出口から原水が流出される際の脈動により凝集沈澱室１４内の原水を撹拌するものである。
【００２５】
本実施形態に係るスラッジブランケット型凝集沈澱装置の運転方法およびスラッジブランケット型凝集沈澱装置１の動作について説明する。
【００２６】
凝集沈澱装置１の前段に急速撹拌槽５０を設ける場合は、急速撹拌槽５０において懸濁物質を含む原水にポリ塩化アルミニウム（ＰＡＣ）等の無機凝集剤等の凝集剤が添加されて、急速撹拌が行われた後、原水は原水導入管２２を通して塔２０に送液される。凝集剤は、原水導入管２２において原水に添加されてもよい。真空ポンプ４６の駆動およびバキュームブレーカ４８の開閉によって、塔２０内の真空と脱真空とを繰り返すことにより、塔２０内の原水の落水および水位上昇が繰り返されて、水位が上下されて原水に脈動が与えられる（脈動発生工程）。脈動が与えられた原水は、給水ダクト３２、原水分配管３０を通して流出口から凝集沈澱室１４の撹拌ゾーン３６に下方向に流出される。この原水分配管３０の流出口から原水が流出される際の脈動により凝集沈澱室１４の水は撹拌を受け、原水中の懸濁物質は凝集しフロックが形成される。凝集沈澱室１４のスラッジブランケットゾーンには、フロック群が高濃度に懸濁平衡されて、スラッジブランケット層３４が形成されている。スラッジブランケット層３４は次第に高さを増してくるが、仕切り板１８は、スラッジブランケット層３４の上面高さを規定するものであり、すなわち、スラッジブランケット層３４の上面高さは、仕切り板１８の高さによって決定される。原水はこのスラッジブランケット層３４内を上向流で通過する際、下部で形成されたフロックがスラッジブランケット層３４中の既存のフロックと接触、吸合することにより、フロックが除去された除濁水が傾斜装置４０を上向流で通過して、処理水として少なくとも１つの処理水排出管２８から排出される。
【００２７】
仕切り板１８によって仕切られた濃縮室１６内および濃縮室１６の上部は上昇流がほとんど起こらないので、スラッジブランケット層３４の上面の余剰のフロックは仕切り板１８の上端を越流して濃縮室１６内に貯留、濃縮され、スラッジブランケット層３４の高さはほぼ一定に保たれる。余剰の濃縮されたフロックは、汚泥として汚泥排出管２６を通して適切な間隔で、例えば定期的に系外に排出される。凝集沈澱室１４の底部にフロックが堆積した場合には、汚泥として汚泥排出管２４を通して適切な間隔で、例えば定期的に系外に排出されてもよい。
【００２８】
本実施形態に係るスラッジブランケット型凝集沈澱装置の運転方法および凝集沈澱装置１では、原水の濁度および水温に応じて、脈動の強度、および槽１０の前段に撹拌槽（急速撹拌槽）が設けられている場合の撹拌槽における撹拌の強度のうち少なくとも１つを制御する。これによって、従来型のスラッジブランケット型凝集沈澱装置と比較して、原水の水質が変動しても安定運転が可能となり、運転管理が大幅に簡易化される。原水の濁度や水温の変動が起きても、スラッジブランケット層からの微細フロックの流出による処理水質の悪化が抑制され、安定運転が可能となる。また、通水流量を下げたり、凝集条件を見直すなどの作業を行わなくてもよく、運転管理が大幅に簡易化される。
【００２９】
例えば、原水の水温と処理水の水温をモニタリングし、原水の水温と処理水の水温との差が０．１℃以上となった場合に、好ましくは０．２℃以上となった場合に、上記脈動の強度および上記撹拌の強度のうち少なくとも１つを高くすることが好ましい。
【００３０】
実際の制御を行う際は、原水の水温と処理水の水温それぞれをモニタリングし、その差が０．１℃以上となった状態を例えば１０分以上保持した場合や、次のモニタリングのときまで保持した場合に脈動の強度を高くし、差が０．１℃未満となった状態を例えば同じく１０分以上保持した場合や、次のモニタリングのときまで保持した場合に脈動の強度をもとに戻す制御を組み込むことにより、容易に自動化も可能となる。
【００３１】
また、例えば、原水の濁度をモニタリングし、原水の濁度の上昇率が１０度／時間以上となった場合に、好ましくは２０度／時間以上となった場合に、上記脈動の強度および上記撹拌の強度のうち少なくとも１つを高くすることが好ましい。「原水の濁度の上昇率が１０度／時間以上となった場合」とは、原水の濁度の上昇の傾きが１０度／時間以上となった場合を表し、原水の濁度の上昇率が５度／３０分以上となった場合に、上記脈動の強度および上記撹拌の強度のうち少なくとも１つを高くしてもよい。
【００３２】
脈動の強度、撹拌の強度は例えば、それぞれ、下記の式で算出される脈動Ｇ値（ｓ−１）または撹拌Ｇ値（ｓ−１）により決定すればよい。
【００３３】
脈動Ｇ値には、例えば、塔２０で発生する脈動における落水時間、上昇時間、落水幅等を変更することにより調整することができる。例えば、真空ポンプの出力を上げ、脈動における上昇時間を短くすることにより、脈動Ｇ値を容易に高めることができる。また、落水水位を高くすること、または、バキュームブレーカ４８の開度を上げることによって落水時間を短くすることにより、脈動Ｇ値を容易に高めることができる。ただし、真空ポンプの出力を上げる方法は一般的にランニングコストの増加を招くため、上記のように原水の水温や濁度が変動した際にのみ採用し、そうでない場合には通常条件での運転とすることで、トータルの維持管理費を抑える運用とすることが望ましい。例えば、原水の水温と処理水の水温との差が０．１℃以上となった場合に、または、原水の濁度の上昇率が１０度／時間以上となった場合に、脈動Ｇ値（ｓ−１）を２（ｓ−１）以上５０（ｓ−１）以下の範囲で高くすればよい。なお、脈動Ｇ値をどのくらい高くすればよいかについては、原水の温度と処理水の温度との差や、原水濁度の上昇率、目的とする処理水水質等、装置の運転条件に基づいて実験や試運転等により決定することができる。
【００３４】
脈動Ｇ値＝（落水Ｇ値×落水時間＋上昇Ｇ値×上昇時間）÷（落水時間＋上昇時間）
Ｇ＝√｛（Ａ・ｖ３）／（２ν・Ｖ）｝
Ａ：噴出面積（流出口）（ｍ２）
ｖ：噴出流速（ｍ／ｓ）
ν：動粘性係数（原水）（ｍ２／ｓ）
Ｖ：混和部（阻流板４２より下部）容量（ｍ３）
【００３５】
また、撹拌Ｇ値は、例えば、急速撹拌槽の撹拌翼の回転速度等を変更することにより調整することができる。例えば、撹拌の回転数を上げて撹拌翼の回転速度を大きくすると、撹拌Ｇ値を向上させることができる。ただし、この方法は一般的にランニングコストの増加を招くため、上記のように原水の水温や濁度が変動した際にのみ回転速度を上げる、もしくは通常時は急速撹拌を行わずに、原水の水温や濁度が変動した際にのみ急速撹拌を行う、というような運用をすることが望ましい。例えば、原水の水温と処理水の水温との差が０．１℃以上となった場合に、または、原水の濁度の上昇率が１０度／時間以上となった場合に、撹拌Ｇ値（ｓ−１）を２０（ｓ−１）以上１０００（ｓ−１）以下の範囲で高くすればよい。なお、撹拌Ｇ値をどのくらい高くすればよいかについては、原水の温度と処理水の温度との差や、原水濁度の上昇率、目的とする処理水水質等、装置の運転条件に基づいて実験や試運転などにより決定することができる。
【００３６】
撹拌Ｇ値＝√｛（ＣΣｉ（Ａｉ・ｖｉ３））／２νＶ｝
Ａｉ：撹拌翼ｉの運動方向に直角な面積（ｍ２）
ｖｉ：撹拌翼ｉの平均速度（ｍ／ｓ）
ν：動粘性係数（原水）（ｍ２／ｓ）
Ｖ：混和部（急速撹拌槽５０）容量（ｍ３）
Ｃ：撹拌翼の抵抗係数（−）
【００３７】
脈動発生手段としては、原水に脈動を付与することができるものであればよく、特に制限はない。脈動発生手段としては、図１に示す真空ポンプを用いる方式の他に、図２に示す凝集沈澱装置３のようにサイフォンを用いる方式、図３に示す凝集沈澱装置５のように回転弁５８を用いる方式のものであってもよい。
【００３８】
図２に示す凝集沈澱装置３では、塔２０の頂部にサイフォンを備えるサイフォン装置５２が設置され、原水導入管５４はサイフォン装置５２に接続されている。凝集剤が添加された原水は、原水導入管５４を通してサイフォン装置５２に送液される。サイフォン装置５２においてサイフォンの作用によって、サイフォン装置５２内の水位が上下されて原水に脈動が与えられる（脈動発生工程）。脈動が与えられた原水は、給水ダクト３２、原水分配管３０を通して流出口から凝集沈澱室１４の撹拌ゾーン３６に下方向に流出される。この場合、原水の濁度および水温に応じて、ダンパー弁５６の開度を変えることによって、脈動強度を変えることができる。
【００３９】
図３に示す凝集沈澱装置５では、原水導入管２２の途中に回転弁５８が接続されている。凝集剤が添加された原水は、原水導入管２２を通して塔２０に送液される。回転弁５８の作用によって、塔２０内の水位が上下されて原水に脈動が与えられる（脈動発生工程）。脈動が与えられた原水は、給水ダクト３２、原水分配管３０を通して流出口から凝集沈澱室１４の撹拌ゾーン３６に下方向に流出される。この場合、原水の濁度および水温に応じて、回転弁５８の回転速度を変えることによって、脈動強度を変えることができる。
【００４０】
これらのうち、脈動発生手段としては、脈動の制御がしやすい、装置高さを抑えることができる等の点で、真空ポンプを用いる方式が好ましい。
【００４１】
本実施形態に係るスラッジブランケット型凝集沈澱装置の運転方法およびスラッジブランケット型凝集沈澱装置において処理対象となる原水は、例えば、上水、用水、河川水、湖沼水、各種排水等である。
【００４２】
処理対象となる原水の濁度は、例えば、１度〜５０００度の範囲であり、本実施形態に係るスラッジブランケット型凝集沈澱装置の運転方法およびスラッジブランケット型凝集沈澱装置によって、処理水の濁度を例えば１度未満に低減することができる。
【実施例】
【００４３】
以下、実施例および比較例を挙げ、本発明をより具体的に詳細に説明するが、本発明は、以下の実施例に限定されるものではない。
【００４４】
＜実施例および比較例＞
図４に示すパイロットスケールの実験装置を２台作製し、図５に示すフローで、実原水を用いて水温変動に対する処理性、濁度変動に対する処理性を確認した。通水条件は以下の通りである。
【００４５】
［装置仕様］
高速凝集沈澱槽      ：８００ｍｍ×９００ｍｍ×４０００ｍｍ
凝集沈澱槽滞留時間  ：１１０ｍｉｎ
通水流量            ：１．６ｍ３／ｈ
通水ＬＶ            ：２．６ｍ／ｈ
濃縮室高さ          ：１０００ｍｍ
【００４６】
［水温変動実験条件］
原水：湖沼水（原水槽に氷を投入し、強制的に水温変動発生）
凝集剤：ポリ塩化アルミニウム（ＰＡＣ）
凝集剤添加量：３０ｍｇ／Ｌ
凝集ｐＨ：７
原水濁度：１１度
原水水温：１２．５〜１３．６℃
【００４７】
［濁度変動実験条件］
原水：湖沼水（原水槽に懸濁物質としてベントナイトを添加し、濁度５００度程度となるように調整）
凝集剤：ポリ塩化アルミニウム（ＰＡＣ）
凝集剤添加量：２５〜２００ｍｇ／Ｌ（原水濁度に比例注入）
凝集ｐＨ：７
原水濁度：１５〜５２０度
原水水温：１２℃
【００４８】
水温変動実験の結果を図６に、濁度変動実験の結果を図７に示す。水温変動実験の実施例では、原水の水温と処理水の水温との差が０．１℃以上となった場合に、所定の時間、脈動強度向上または急速撹拌を行った。濁度変動実験では、原水の濁度の上昇率が１０度／時間以上となった場合に、所定の時間、脈動強度向上または急速撹拌を行った。実施例の急速撹拌実験では、混和槽の撹拌装置の回転数を０ｒｐｍから２２５ｒｐｍに変え、撹拌Ｇ値を０ｓ−１から１４６ｓ−１に向上させた。また、実施例の脈動強度向上実験では真空塔内の落水時間を１２秒から６秒に変え、脈動Ｇ値を１２ｓ−１から１８ｓ−１に向上させた。一方、比較例では、混和槽の撹拌装置の回転数は０ｒｐｍ（撹拌Ｇ値：０ｓ−１）、真空塔内の落水時間は１２秒（脈動Ｇ値：を１２ｓ−１）のままとした（表１参照）。
【００４９】
【表１】
2018069209.tif 000003
【００５０】
なお、脈動Ｇ値は、上記式により、下記の通りに計算して算出した。撹拌Ｇ値は、上記式により、下記の通りに計算して算出した。
【００５１】
Ａ：噴出面積（流出口面積）（ｍ２）＝０．００１６１（ｍ２）
ν：動粘性係数（原水（１３℃））（ｍ２／ｓ）＝１．２×１０−６（ｍ２／ｓ）
Ｖ：混和部（阻流板４２より下部）容量（ｍ３）＝０．２０８（ｍ３）
・通常脈動（落水１２秒、上昇３３秒）
ｖ：噴出流速（ｍ／ｓ）＝落水時０．８１２（ｍ／ｓ）、上昇時０．０７１（ｍ／ｓ）
より、
落水Ｇ値＝√｛（Ａ・ｖ３）／（２ν・Ｖ）｝
＝√｛（０．００１６１×（０．８１２）３）／（２×１．２×１０−６×０．２０８）｝
＝４１．６（ｓ−１）
上昇Ｇ値＝√｛（Ａ・ｖ３）／（２ν・Ｖ）｝
＝√｛（０．００１６１×（０．０７１）３）／（２×１．２×１０−６×０．２０８）｝
＝１．１（ｓ−１）
よって、
脈動Ｇ値＝（落水Ｇ値×落水時間＋上昇Ｇ値×上昇時間）÷（落水時間＋上昇時間）
＝（４１．６×１２＋１．１×３３）÷（１２＋３３）
＝１２（ｓ−１）
【００５２】
・脈動強度向上（落水６秒、上昇３３秒）
ｖ：噴出流速（ｍ／ｓ）＝落水時１．１３４（ｍ／ｓ）、上昇時０（ｍ／ｓ）
より、
落水Ｇ値＝√｛（Ａ・ｖ３）／（２ν・Ｖ）｝
＝√｛（０．００１６１×（１．１３４）３）／（２×１．２×１０−６×０．２０８）｝
＝１１８．７（ｓ−１）
上昇Ｇ値＝√｛（Ａ・ｖ３）／（２ν・Ｖ）｝
＝√｛（０．００１６１×（０）３）／（２×１．２×１０−６×０．２０８）｝
＝０（ｓ−１）
よって、
脈動Ｇ値＝（落水Ｇ値×落水時間＋上昇Ｇ値×上昇時間）÷（落水時間＋上昇時間）
＝（１１８．７×６＋０×３３）÷（６＋３３）
＝１８（ｓ−１）
【００５３】
Ａｉ：撹拌翼ｉの運動方向に直角な面積（ｍ２）＝０．００２０９（ｍ２）
ｖｉ：撹拌翼ｉの平均速度（ｍ／ｓ）＝０．７７６（ｍ／ｓ）
ν：動粘性係数（原水（１２℃））（ｍ２／ｓ）＝１．２×１０−６（ｍ２／ｓ）
Ｖ：混和部（急速撹拌槽５０）容量（ｍ３）＝０．１１０（ｍ３）
Ｃ：撹拌翼の抵抗係数（−）＝１．５（−）
撹拌翼の枚数：４枚
より、
撹拌Ｇ値＝√｛（ＣΣｉ（Ａｉ・ｖｉ３））／２νＶ｝
＝√｛（１．５×０．００２０９×（０．７７６）３×４）／（２×１．２×１０−６×０．１１０）｝
＝１４６（ｓ−１）
【００５４】
水温変動に対しても、濁度変動に対しても、脈動強度向上もしくは急速撹拌を行うことにより処理水濁度の悪化を顕著に抑制できる結果となった。特に急速撹拌を行った場合は、原水変動前の通常処理時よりも処理水質は良好な結果となった。水温変動や濁度変動が生じた際は、凝集沈澱槽内で流れの乱れが生じ、スラッジブランケット層から微フロックが逸脱する様子が観察されたが、脈動強度向上もしくは急速撹拌を行った場合は、マイクロフロック形成が促進され、その影響で微フロックの逸脱を抑制することが可能となり、良好な処理が可能となった
【００５５】
このように、実施例の方法により、比較例と比較して、原水の水質が変動しても安定運転が可能となり、運転管理が大幅に簡易化された。
【符号の説明】
【００５６】
１，３，５  凝集沈澱装置、１０  槽、１２  脈動発生装置、１４  凝集沈澱室、１６  濃縮室、１８  仕切り板、２０  真空塔、２２，５４  原水導入管、２４，２６  汚泥排出管、２８  処理水排出管、３０  原水分配管、３２  給水ダクト、３４  スラッジブランケット層、３６  撹拌ゾーン、４０  傾斜装置、４２  阻流板、４４  水位計、４６  真空ポンプ、４８  バキュームブレーカ、５０  急速撹拌槽、５２  サイフォン装置、５６  ダンパー弁、５８  回転弁。
【図１】
2018069209.tif 000004
【図２】
2018069209.tif 000005
【図３】
2018069209.tif 000006
【図４】
2018069209.tif 000007
【図５】
2018069209.tif 000008
【図６】
2018069209.tif 000009
【図７】
2018069209.tif 000010